(57)【要約】【課題】簡易な構成により所望の光を照射できるようにする。【解決手段】自動取引装置１の紙幣取扱部５に組み込まれる鑑別部１３の各光学センサユニット２７の発光部３２は、平板状の発光素子取付領域４４Ａを有し光を透過するベース板４４と、ベース板４４の発光素子取付領域４４Ａの一方側に設けられ光を発光する発光素子５７と、ベース板４４に対し一方側に設けられ、発光素子５７を覆って保護すると共に光を反射する反射面４０ｒを有するリフレクタ４０と、ベース板４４に対し一方側とは逆の他方側に設けられ、ベース板４４を透過した光を導光して線状に出射させる導光体４６とを設ける。【選択図】図７
2019008976.tif 000002
【特許請求の範囲】
【請求項１】
平板状の取付部を有し光を透過する基板と、
前記基板の前記取付部の一方側に設けられ光を発光する発光素子と、
前記基板に対し前記一方側に設けられ、前記発光素子を覆って保護すると共に前記光を反射する反射面を有する反射体と、
前記基板に対し前記一方側とは逆の他方側に設けられ、前記基板を透過した前記光を導光して線状に出射させる導光体と
を具えることを特徴とする線状光源。
【請求項２】
前記基板の前記取付部の前記一方側に設けられ、紫外光を発光する紫外光発光素子と、
前記基板の前記取付部の前記一方側に設けられ、可視光又は赤外光を発光する１個以上の非紫外光発光素子と
をさらに具え、
前記反射体は、前記紫外光又は前記可視光若しくは前記赤外光を前記反射面により反射する
ことを特徴とする請求項１に記載の線状光源。
【請求項３】
前記反射体は、前記紫外光発光素子と前記非紫外光発光素子との間の少なくとも一部に前記反射面を有し、前記反射面により、前記紫外光発光素子から出射される前記紫外光を遮断する
ことを特徴とする請求項２に記載の線状光源。
【請求項４】
前記基板と前記非紫外光発光素子との間に設けられ、前記紫外光を遮断する紫外光遮断部
をさらに具えることを特徴とする請求項３に記載の線状光源。
【請求項５】
前記紫外光遮断部は、前記紫外光を遮断するフィルムが前記基板における、前記一方側の面である一面上に貼り付けられる
ことを特徴とする請求項４に記載の線状光源。
【請求項６】
前記基板と前記紫外光発光素子との間に設けられ、前記紫外光に含まれる可視光を遮断する可視光遮断部
をさらに具えることを特徴とする請求項５に記載の線状光源。
【請求項７】
前記可視光遮断部は、前記可視光を遮断するフィルムが前記基板における前記一面上に貼り付けられる
ことを特徴とする請求項６に記載の線状光源。
【請求項８】
前記可視光遮断部は、前記紫外光に含まれる青色光を遮断する
ことを特徴とする請求項６に記載の線状光源。
【請求項９】
前記基板の前記一方側の面である一面上に接着剤により固定され、配線パターンが形成されたケーブル部をさらに具え、
前記基板の前記一面上において前記接着剤が塗布される箇所には、前記紫外光を遮断する紫外光遮断層が形成される
ことを特徴とする請求項２に記載の線状光源。
【請求項１０】
前記ケーブル部の前記一方側の面上に固定され、前記ケーブル部の一部を覆うカバー部をさらに具え、
前記ケーブル部及び前記カバー部は、前記紫外光発光素子と前記非紫外光発光素子との間の少なくとも一部に配され、前記紫外光発光素子から出射される前記紫外光を遮断する
ことを特徴とする請求項９に記載の線状光源。
【請求項１１】
前記反射体は、基部が樹脂により形成され、前記基部に前記反射面がアルミニウムで形成される
ことを特徴とする請求項１に記載の線状光源。
【請求項１２】
前記基板は、透明なガラスにより形成されている
ことを特徴とする請求項１に記載の線状光源。
【請求項１３】
請求項１乃至請求項１２の何れかに記載の線状光源と、
前記線状光源から所定の媒体に照射された光を受光して撮像する受光部と
を具えることを特徴とする光学センサユニット。
【請求項１４】
使用者との間で媒体を受け渡す入出部と、
前記入出部により前記使用者から受け取った前記媒体を、請求項１３に記載の光学センサユニットにより撮像して画像を生成し、該画像を用いて前記媒体を鑑別する鑑別部と
を具えることを特徴とする自動取引装置。
【発明の詳細な説明】
【技術分野】
【０００１】
本発明は線状光源、光学センサユニット及び自動取引装置に関し、例えば紙幣のような紙葉状の媒体を投入して所望の取引を行う自動取引装置（ＡＴＭ：Automatic Teller Machine）等に適用して好適なものである。
【背景技術】
【０００２】
従来、金融機関等で使用される自動取引装置は、現金自動預払機とも呼ばれ、顧客との取引内容に応じて、例えば顧客に紙幣や硬貨等の現金を入金させる入金取引や、顧客へ現金を出金する出金取引等の各種取引を行う。この現金自動預払機には、例えばキャッシュカードを取り扱うカード処理装置や、紙幣を取り扱う紙幣入出金機等が組み込まれている。
【０００３】
この紙幣入出金機には、紙幣を搬送する搬送部や、入金された紙幣の金種、真偽、或いは損傷の程度等を鑑別する鑑別部が組み込まれている。この鑑別部には、搬送される紙幣の紙面に光を照射して撮像し画像を生成する光学センサユニット等が設けられている。さらに光学センサユニットは、紙幣の搬送方向と直交する幅方向に沿って線状に光を照射する線状光源や、この線状光源と平行に配置された線状のイメージセンサ等が設けられている。鑑別部やこれを制御する制御部では、複数種類のセンサユニットからそれぞれ得られた検出結果や画像等を総合的に判断することにより、各紙幣の金種や真偽等を適切に鑑別する。
【０００４】
ところで紙幣には、偽造対策として蛍光インクが用いられ、紫外線が照射された場合に特殊な反射光（蛍光）を発生させるものがある。そこで線状光源のなかには、可視光を発光する可視光発光素子に加えて、紫外光を発光する紫外光発光素子が設けられ、可視光及び紫外光を切り替えて発光することにより、複数種類の画像を生成し、これらを真偽等の判断に供するものがある。
【０００５】
この線状光源では、例えばＬＥＤ（Light Emitting Diode）でなる可視光発光素子及び紫外光発光素子を互いに近接配置し、可視光及び紫外光で共通の導光体を使用することにより、部品点数を抑えながら紙幣の各部分に一様な光量の光を照射することができる。しかしながら、この線状光源を有する光学センサユニットでは、紫外光により紙幣を撮像して蛍光画像を生成するときに、紫外光発光素子から紫外光の一部が可視光発光素子に入射されると、励起による可視光が発生して紙幣に照射され、蛍光画像のコントラストを低下させる恐れがあった。
【０００６】
そこで線状光源として、光学素子を取り付ける基板において可視光発光素子の取付箇所と紫外光発光素子の取付箇所との間に段差を形成し、両取付箇所の間に紫外光を遮光するフィルタを配置することにより、励起による可視光の発生を防ぐものが提案されている（例えば、特許文献１参照）。
【先行技術文献】
【特許文献】
【０００７】
【特許文献１】特開２０１５−２０７１５４号公報（図２）
【発明の概要】
【発明が解決しようとする課題】
【０００８】
このような構成の線状光源において可視光発光素子及び紫外光発光素子を、該可視光発光素子及び紫外光発光素子に接続されたボンディングワイヤを含んで樹脂で封止する場合、そのような複雑な形状を樹脂で封止する際には樹脂形状を安定させることが難しく、また樹脂と空気との境界面が曲面となり、可視光及び紫外光に対して、樹脂がレンズとしても機能してしまうこともあり、配光特性の個体差が発生してしまう可能性があった。
【０００９】
本発明は以上の点を考慮してなされたもので、簡易な構成により所望の光を照射することができる線状光源、光学センサユニット及び自動取引装置を提案しようとするものである。
【課題を解決するための手段】
【００１０】
かかる課題を解決するため本発明の線状光源においては、平板状の取付部を有し光を透過する基板と、基板の取付部の一方側に設けられ光を発光する発光素子と、基板に対し一方側に設けられ、発光素子を覆って保護すると共に光を反射する反射面を有する反射体と、基板に対し一方側とは逆の他方側に設けられ、基板を透過した光を導光して線状に出射させる導光体とを設けるようにした。
【００１１】
また本発明の光学センサユニットにおいては、前述の線状光源と、線状光源から所定の媒体に照射された光を受光して撮像する受光部とを設けるようにした。
【００１２】
さらに本発明の自動取引装置においては、使用者との間で媒体を受け渡す入出部と、入出部により使用者から受け取った媒体を、前述の光学センサユニットにより撮像して画像を生成し、該画像を用いて媒体を鑑別する鑑別部とを設けるようにした。
【００１３】
本発明は、発光素子に樹脂封止を行うことなく発光素子を保護すると共に、発光素子が発光した光を反射体により反射して導光体へ向かわせることができ、配光特性の個体差を抑えて光学特性を向上させ、良好な光を得ることができる。
【発明の効果】
【００１４】
本発明によれば、簡易な構成により所望の光を照射することができる線状光源、光学センサユニット及び自動取引装置を実現できる。
【図面の簡単な説明】
【００１５】
【図１】自動取引装置の構成を示すブロック図である。
【図２】鑑別部の構成を示す左側面図である。
【図３】光学センサユニットの構成を示す底面図である。
【図４】光学センサ部の構成を示す断面図である。
【図５】発光素子モジュールの構成を示す斜視図である。
【図６】第１の実施の形態による発光素子モジュールの構成（１）を示す分解斜視図である。
【図７】第１の実施の形態による発光素子モジュールの構成（２）を示し、図５におけるＡ−Ａ矢視断面図である。
【図８】第２の実施の形態による発光素子モジュールの構成（１）を示す分解斜視図である。
【図９】第２の実施の形態による発光素子モジュールの構成（２）を示し、図５におけるＡ−Ａ矢視断面図である。
【発明を実施するための形態】
【００１６】
以下、発明を実施するための形態（以下実施の形態とする）について、図面を用いて説明する。
【００１７】
［１．第１の実施の形態］
［１−１．自動取引装置及び紙幣取扱部の構成］
図１に模式的なブロック図を示すように、第１の実施の形態による自動取引装置１は、全体を統括的に制御する制御装置２に対し、電源部３、表示操作部４、紙幣取扱部５、硬貨取扱部６、カード取扱部７及び明細票取扱部８がそれぞれ接続された構成となっている。この自動取引装置１は、例えば金融機関の支店や商業施設等に設置されており、使用者（すなわち金融機関や商業施設の顧客）との間で、入金取引や出金取引等のような現金に関する種々の取引を行う。
【００１８】
制御装置２は、図示しないＣＰＵ（Central Processing Unit）を中心に構成されており、図示しないＲＯＭやフラッシュメモリ等から所定のプログラムを読み出して実行することにより、入金処理や出金処理等の種々の処理を行う。また制御装置２は、内部にＲＡＭ（Random Access Memory）、ハードディスクドライブやフラッシュメモリ等でなる記憶部（図示せず）を有しており、この記憶部に種々の情報を記憶させる。
【００１９】
電源部３は、図示しない商用電源に接続されており、制御装置２や紙幣取扱部５等の各部に所定の電源を供給する。表示操作部４は、例えばタッチパネルや操作ボタン（図示せず）等により構成されており、使用者に向けて所定の表示画面を表示する他、該使用者からの操作入力を受け付ける。
【００２０】
紙幣取扱部５は、使用者との間で取引される現金のうち、長方形に形成された紙葉状の媒体である紙幣を取り扱う。紙幣は、表面及び裏面にそれぞれ特有の絵柄が印刷されており、また透かし等の加工が施されている。この紙幣取扱部５は、全体を制御する紙幣制御部１１や、使用者との間で紙幣を受け渡す入出部としての入出金部１２、紙幣を鑑別する鑑別部１３、及び紙幣を収納する紙幣収納庫１４等を有している。
【００２１】
具体的に紙幣取扱部５は、例えば入金取引において入出金部１２を介して使用者から紙幣を受け取ると、この紙幣を１枚ずつに分離して搬送し、鑑別部１３により金種や真偽、或いは走行状態等を鑑別し、金種ごとに紙幣収納庫１４に収納する。また紙幣取扱部５は、例えば出金取引において使用者から出金額が指定されると、この出金額に応じた金種及び枚数の紙幣を紙幣収納庫１４から順次繰り出して搬送し、鑑別部１３により各紙幣の金種や搬送状態等を鑑別し、入出金部１２内で集積した上で使用者に引き渡す。
【００２２】
硬貨取扱部６は、使用者との間で取引される現金のうち、扁平な円板状に形成された金属の媒体である硬貨を取り扱う。カード取扱部７は、例えば使用者からキャッシュカードを受け取り、記録されている磁気情報を読み取ることにより該使用者の口座番号等を読み取る。明細票取扱部８は、使用者との間で取引が行われると、所定の用紙に取引の日時や内容等を印刷することにより明細票を発行し、これを使用者に受け取らせる。
【００２３】
［１−２．鑑別部の構成］
鑑別部１３は、図２に模式的な側面図を示すように、中空の直方体状に形成された筐体２０の内部に、全体を制御する鑑別制御部２１が設けられており、また紙幣を搬送すると共に鑑別するための複数の部品が設けられている。鑑別制御部２１は、紙幣制御部１１（図１）と同様、図示しないＣＰＵを中心に構成されており、図示しないＲＯＭやフラッシュメモリ等から所定のプログラムを読み出して実行することにより、画像生成処理や鑑別処理等の種々の処理を行う。また鑑別制御部２１は、内部にＲＡＭやフラッシュメモリ等でなる記憶部（図示せず）を有しており、この記憶部に種々の情報を記憶させる他、鑑別処理に必要な情報を予め記憶している。
【００２４】
筐体２０の内部における上下方向の中央付近には、それぞれ上下方向に薄い板状に形成された上搬送ガイド２２Ｕ及び下搬送ガイド２２Ｌが、上下方向に所定の間隔を隔てて配置されている。上搬送ガイド２２Ｕ及び下搬送ガイド２２Ｌの間は、紙幣ＢＬが搬送される経路である搬送路Ｗとなっている。また筐体２０内には、搬送路Ｗに沿って、前後方向に離散的な複数の箇所に搬送ローラ対２３がそれぞれ設けられ、さらに搬送ローラ対２３同士の間やその前後に、磁気センサ部２４、光学センサ部２６及び厚みセンサ部２８がそれぞれ設けられている。
【００２５】
搬送ローラ対２３は、搬送路Ｗの上側及び下側にそれぞれ搬送ローラが設けられており、そのうち一方（例えば下側）の搬送ローラに所定のモータ（図示せず）から駆動力が伝達され、他方の搬送ローラが下方へ押し付けられている。この各搬送ローラ対２３は、モータ（図示せず）から駆動力が伝達されて回転すると、紙幣ＢＬを搬送ローラ同士の間に挟持して駆動力を伝達することにより、搬送路Ｗに沿って前方向又は後方向へ搬送する。
【００２６】
磁気センサ部２４は、搬送路Ｗの上側に配置された磁気ヘッド２５Ａと、該搬送路Ｗの下側に配置された押付ローラ２５Ｂとにより構成されている。この磁気センサ部２４は、搬送路Ｗに沿って搬送されてくる紙幣ＢＬを押付ローラ２５Ｂにより磁気ヘッド２５Ａへ押し付け、該磁気ヘッド２５Ａにより紙幣ＢＬから磁気を検出し、得られた検出結果を鑑別制御部２１へ送信する。
【００２７】
光学センサ部２６は、搬送路Ｗの上側に配置された上光学センサユニット２７Ｕと該搬送路Ｗの下側に配置された下光学センサユニット２７Ｌとにより構成されている。説明の都合上、以下では上光学センサユニット２７Ｕ及び下光学センサユニット２７Ｌをまとめて光学センサユニット２７とも呼ぶ。また下光学センサユニット２７Ｌは、上光学センサユニット２７Ｕを上下に反転させた構成となっている。このため以下では、主に上光学センサユニット２７Ｕについて説明する。
【００２８】
光学センサユニット２７は、大きく分けて、左右方向に沿った線状の光を搬送路Ｗへ向けて発光する発光部３２（図４）と、左右方向に沿った線状の撮像範囲において該搬送路Ｗから進行してくる光を受光して撮像する受光部３３（図４）とにより構成されている（詳しくは後述する）。光学センサ部２６の各光学センサユニット２７は、搬送路Ｗに沿って搬送されてくる紙幣ＢＬの上面及び下面に対して、それぞれ線状の光を照射しながら線状の撮像範囲を撮像し、得られた線状の画像を鑑別制御部２１へ供給する動作を繰り返す。これに応じて鑑別制御部２１では、順次得られる線状の画像を順次連結させることにより、紙幣ＢＬの両紙面をそれぞれ表す画像を生成し、これを金種や真偽等の鑑別処理に用いる。
【００２９】
また紙幣ＢＬは、偽造対策等の目的により、所定部分に特殊な蛍光インクが用いられている。この蛍光インクは、紫外光が照射されると蛍光を発光する性質を有する。このため光学センサユニット２７は、紙幣ＢＬに可視光を照射して線状の画像を生成すると共に、該紙幣ＢＬに紫外光を照射して線状の蛍光画像を生成し、それぞれを鑑別制御部２１へ供給して画像を生成させる。
【００３０】
厚みセンサ部２８は、搬送路Ｗの上側に配置された変位ユニット２９Ａと、該搬送路Ｗの下側に配置された基準ローラ２９Ｂとにより構成されている。変位ユニット２９Ａは、回転するローラが組み込まれ、上下方向へ変位し得るように構成されると共に下方向へ付勢されており、さらに該ローラ等における上下方向の変位量を検出する。一方、基準ローラ２９Ｂは、上下方向の位置が固定されており、自在に回転する。この厚みセンサ部２８は、紙幣ＢＬが搬送されてくると、各ローラを適宜回転させながらその間に該紙幣ＢＬを挟持し、該紙幣ＢＬの厚みに応じて変位ユニット２９Ａを上下方向へ変位させると共にその変位量を検出して、得られた検出結果を鑑別制御部２１へ供給する。
【００３１】
鑑別制御部２１は、磁気センサ部２４、光学センサ部２６及び厚みセンサ部２８からそれぞれ得られた検出結果や画像等を基に所定の鑑別処理を行うことにより、紙幣ＢＬの金種、真偽、搬送状態（２枚以上が重なっているか否か等）及び損傷の程度等を鑑別し、これを紙幣制御部１１（図１）へ送信する。これに応じて紙幣制御部１１は、制御装置２（図１）と適宜連携しながら、各種取引処理を実行する。
【００３２】
［１−３．光学センサユニットの構成］
次に、上側の上光学センサユニット２７Ｕ（図２）を例として、光学センサユニット２７の構成について説明する。光学センサユニット２７は、下側から見上げた模式的な平面図を図３に示すと共に、模式的な断面図を図４に示すように、周囲を囲む筐体３１の内部に発光部３２が設けられ、さらにこの発光部３２に周囲を囲まれるようにして受光部３３が設けられている。
【００３３】
因みに上搬送ガイド２２Ｕ（図４）には、上光学センサユニット２７Ｕの真下となる箇所に、ガラス板２２ＵＧが嵌め込まれており、光を透過させると共に紙幣ＢＬを搬送路Ｗに沿って案内する。これと同様に下搬送ガイド２２Ｌには、下光学センサユニット２７Ｌの真上となる箇所に、ガラス板２２ＬＧが嵌め込まれている。
【００３４】
発光部３２（図３）は、右側及び左側にそれぞれホルダ４１が配置されており、また各ホルダ４１の左右両外側に、ベース板４４、ＦＰＣ（Flexible Printed Circuits）４３、カバー板４２及びリフレクタ４０がそれぞれ順次重なるように配置されている。このうち各ベース板４４の外側面には、前後に１箇所ずつ設けられた発光素子取付領域４４Ａに、それぞれ複数の発光素子が取り付けられている（詳しくは後述する）。また説明の都合上、以下では、ベース板４４、ＦＰＣ４３、カバー板４２及びリフレクタ４０をまとめて発光素子モジュール４５と呼ぶ。
【００３５】
左右のホルダ４１の間には、比較的前側及び比較的後側であって、左右それぞれのベース板４４における各発光素子取付領域４４Ａの裏面に挟まれた位置に、導光体４６がそれぞれ配置されている。この導光体４６は、光の透過率が比較的高い材料によって構成されており、その断面が楕円形状に形成されている（図４）。
【００３６】
さらに前側の導光体４６は、外形を表す楕円における長軸の延長線を後ろ斜め下方向に向けており、搬送路Ｗ上において照射箇所Ｐを通過するように、その取付位置や取付角度が調整されている。後側の導光体４６は、前側の導光体４６と前後対称となるように、その取付位置や取付角度が調整されている。因みに照射箇所Ｐは、上搬送ガイド２２Ｕ及び下搬送ガイド２２Ｌのほぼ中間であって、且つ前側の導光体４６及び後側の導光体４６のほぼ中間に位置しており、左右方向に細長い線状の部分となっている。
【００３７】
この導光体４６は、例えば左側のベース板４４（図３）に取り付けられた発光素子（詳しくは後述する）から左方向へ向けて出射されリフレクタ４０により反射されて右方向へ向かう光が入射されると、この光の一部分を斜め下方向にある照射箇所Ｐ（図４）へ向けて出射させ、残りの部分を右方向へ進行させる。また導光体４６は、右側のベース板４４（図３）に取り付けられた発光素子から右方向へ向けて出射されリフレクタ４０により反射されて左方向へ向かう光についても、同様に左方向へ進行させながら、その一部を照射箇所Ｐへ向けて出射させる。
【００３８】
また導光体４６は、光学設計が適切になされており、左右それぞれの発光素子から入射された光を、左右方向の全範囲に渡ってほぼ一様な光量となるように導光し、照射箇所Ｐへ照射する。このため発光部３２は、左右方向に細長い照射箇所Ｐに対して、前斜め上側及び後斜め上側から、左右方向にほぼ一様な光量でなる線状の光をそれぞれ照射する。説明の都合上、以下では発光部３２を線状光源とも呼ぶ。
【００３９】
一方、受光部３３（図３）は、左右方向に関して各ホルダ４１の間であり、且つ前後方向に関して各導光体４６の間となる箇所に位置しており、受光基板４８と、ロッドレンズアレイ４９とにより構成されている。因みに光学センサユニット２７では、左右のホルダ４１により、２本の導光体４６、受光基板４８及びロッドレンズアレイ４９における左右の両端近傍をそれぞれ支持し、それぞれの位置を固定している。
【００４０】
受光基板４８（図４）の下面には、ロッドレンズアレイ４９の真上となる箇所に、左右方向に細長い受光センサ４８Ｓが取り付けられている。ロッドレンズアレイ４９は、照射箇所Ｐの真上に位置しており、その内部において、光軸を上下方向に沿わせた微小なレンズが左右方向に沿って複数整列されている。このためロッドレンズアレイ４９は、該照射箇所Ｐから上方向へ進行してくる光を集光して、受光センサ４８Ｓに照射することができる。これにより受光部３３は、照射箇所Ｐから得られる光に応じた、線状の画像を生成する。
【００４１】
［１−４．発光素子モジュールの構成］
次に、発光素子モジュール４５の構成について説明する。因みに光学センサユニット２７には、左右に１組ずつ設けられた発光素子モジュール４５が、互いに左右対称に構成されている。このため以下では、導光体４６よりも左側に配され左方向へ向けて光を出射させリフレクタ４０により該光を右方向へ反射させる左側の発光素子モジュール４５を例に説明する。
【００４２】
図５及び図６に斜視図を示すように、発光素子モジュール４５は、右側から左側へ向けてベース板４４、ＦＰＣ４３、カバー板４２及びリフレクタ４０が順次重ねられた構成となっている。ベース板４４は、カバー板４２よりも厚い、すなわち左右方向に長い板状の部材であり、一面である左側面と、一面の逆側の面の他面である右側面とが平坦に形成され、ＦＰＣ４３の右側面のうち下寄りの前後方向に長い部分を覆っている。このベース板４４は、例えばガラス等の光の透過率が高い材料によって構成されており、ＦＰＣ４３の形状を維持する。また上述したように、ベース板４４のうち下寄りの部分、すなわち前後方向に長い部分の左側面には、前側及び後側の２箇所に、概ね円形の領域である発光素子取付領域４４Ａがそれぞれ設けられている。
【００４３】
ケーブル部としてのＦＰＣ４３は、左右方向に薄い平板状ないしフィルム状の配線基板であり、下端近傍が前後方向に長く、これ以外の部分が前後方向に短く形成されており、左右方向から見て英文字の「Ｔ」を上下に反転させたような形状となっている。このＦＰＣ４３は、接着剤によりベース板４４の一面上である左側面上に接着固定されている。またベース板４４において、発光素子取付領域４４Ａの内側を除く該発光素子取付領域４４Ａの外側である、接着剤が塗布されている一面上の箇所は、表面が黒色レジストで塗装されたブラックマトリクス加工がされた紫外光遮断層としてのブラックマトリクス加工層４４ｂｌが形成されていることにより、紫外光が照射された特にエポキシ系の接着剤が蛍光を発生させてしまうことを防止している。
【００４４】
またＦＰＣ４３は、配線パターンが形成された配線層とポリイミド層とを有すると共に、ボンディングワイヤにより可視光発光素子群５４及び紫外光発光素子５６と電気的に接続される電極パッドが、図７に示すリフレクタ４０における可視光発光素子保護部４０ｓｉｒ及び紫外光発光素子保護部４０ｓｕｖの内側に形成されている。
【００４５】
ＦＰＣ４３には、２箇所の発光素子取付領域４４Ａとそれぞれ対応する２箇所に、全体としてほぼ円形の孔部４３Ｈ（図６）がそれぞれ穿設されている。この孔部４３Ｈは、仕切部４３Ｈｐにより前後方向に分割されており、ベース板４４の可視光発光素子取付領域４４Ａｉｒと対向する箇所に、ほぼ半円形状の可視光発光素子側孔部４３Ｈｉｒが形成され、紫外光発光素子取付領域４４Ａｕｖと対向する箇所に、可視光発光素子側孔部４３Ｈｉｒと前後対称のほぼ半円形状の紫外光発光素子側孔部４３Ｈｕｖが形成されている。因みにＦＰＣ４３の上端近傍には、金属部分が露出された複数の端子が形成されており、鑑別制御部２１（図２）と電気的に接続される。
【００４６】
カバー部としてのカバー板４２は、左右方向に薄い板状の部材であり、ＦＰＣ４３の左側面のうち上端近傍を除いた部分と、可視光発光素子側孔部４３Ｈｉｒ及び紫外光発光素子側孔部４３Ｈｕｖを除いた部分とを覆っている。このカバー板４２は、ポリイミド層を有し、接着剤によりＦＰＣ４３の上である左側面上に接着固定されている。カバー板４２には、２箇所の発光素子取付領域４４Ａとそれぞれ対応する２箇所に、全体としてほぼ円形の孔部４２Ｈがそれぞれ穿設されている。この孔部４２Ｈは、仕切部４２Ｈｐにより前後方向に分割されており、ＦＰＣ４３の可視光発光素子側孔部４３Ｈｉｒと対向する箇所に、該可視光発光素子側孔部４３Ｈｉｒとほぼ同一形状で僅かに大きい開口の可視光発光素子側孔部４２Ｈｉｒが形成され、紫外光発光素子側孔部４３Ｈｕｖと対向する箇所に、紫外光発光素子側孔部４３Ｈｕｖとほぼ同一形状で僅かに大きい開口の紫外光発光素子側孔部４２Ｈｕｖが形成されている。
【００４７】
発光素子取付部としての発光素子取付領域４４Ａは、ＦＰＣ４３の仕切部４３Ｈｐ、カバー板４２の仕切部４２Ｈｐ及びリフレクタ４０の後述する仕切部４０ｐにより、可視光発光素子取付領域４４Ａｉｒと紫外光発光素子取付領域４４Ａｕｖとに分割されている。ベース板４４における可視光発光素子取付部としての可視光発光素子取付領域４４Ａｉｒには、薄板状の紫外光遮断部としての紫外光カットフィルタ６０が貼り付けられている。紫外光カットフィルタ６０は、紫外光を吸収又は遮断する材料により形成されている。紫外光カットフィルタ６０の左側面には、何れもＬＥＤでなる青色発光素子５１、緑色発光素子５２及び赤色発光素子５３（これらをまとめて非紫外光発光素子としての可視光発光素子群５４と呼ぶ）が、それぞれの光軸を左方向に向けた状態で取り付けられると共に、ボンディングワイヤ５８（図７）によりＦＰＣ４３の電極パッドと電気的に接続されている。ベース板４４における紫外光発光素子取付部としての紫外光発光素子取付領域４４Ａｕｖには、ＬＥＤでなる紫外光発光素子５６が、光軸を左方向に向けた状態で取り付けられると共に、ボンディングワイヤ５８によりＦＰＣ４３の電極パッドと電気的に接続されている。また発光素子取付領域４４Ａでは、可視光発光素子群５４の各発光素子が互いに近接するように配置されているのに対し、紫外光発光素子５６がこの可視光発光素子群５４からやや離れた箇所に配置されている。以下では紫外光発光素子５６及び可視光発光素子群５４をまとめて発光素子５７とも呼ぶ。
【００４８】
因みに青色発光素子５１は、例えばＧａＮやＡｌＩｎＧａＮ、或いはＩｎＧａＮ等の化合物を有する半導体のＬＥＤチップであり、波長が約４５０〜４７０［ｎｍ］である青色の光を発光する。緑色発光素子５２は、例えばＧａＮやＡｌＩｎＧａＮ、或いはＩｎＧａＮ等の化合物を有する半導体のＬＥＤチップであり、波長が約５２０〜５５０［ｎｍ］である緑色の光を発光する。赤色発光素子５３は、例えばＡｌＩｎＧａＰ系やＧａＡｓ系の化合物を有する半導体のＬＥＤチップであり、波長が約６２５〜６６０［ｎｍ］である赤色の光を発光する。また紫外光発光素子５６は、例えばＧａＮやＡｌＩｎＧａＮ、或いはＩｎＧａＮ等の化合物を有する、サファイア等の絶縁性の基板を利用したＧａＮ系化合物半導体のＬＥＤチップであり、波長が約３７０〜３８０［ｎｍ］である紫外光を発光する。
【００４９】
リフレクタ４０は、例えばシリコンによって構成されたシリコン基部に対して導電性を有する反射面４０ｒが重ねられており、カバー板４２の表面（すなわち左側面）に取り付けられている。このリフレクタ４０は、全体としてカバー板４２の孔部４２Ｈよりも一回り大きい直方体状に構成されており、右側である可視光発光素子取付領域４４Ａｉｒ及び紫外光発光素子取付領域４４Ａｕｖと対向する側面に、それぞれ左方向へ凹んだ図７に示す可視光発光素子保護部４０ｓｉｒ及び紫外光発光素子保護部４０ｓｕｖが形成されている。
【００５０】
この可視光発光素子保護部４０ｓｉｒは、ＦＰＣ４３の可視光発光素子側孔部４３Ｈｉｒ及びカバー板４２の可視光発光素子側孔部４２Ｈｉｒよりも大きく開口しており、該可視光発光素子側孔部４３Ｈｉｒ及び可視光発光素子側孔部４２Ｈｉｒを隙間なく覆っている。また紫外光発光素子保護部４０ｓｕｖは、ＦＰＣ４３の紫外光発光素子側孔部４３Ｈｕｖ及びカバー板４２の紫外光発光素子側孔部４２Ｈｕｖよりも大きく開口しており、該紫外光発光素子側孔部４３Ｈｕｖ及び紫外光発光素子側孔部４２Ｈｕｖを隙間なく覆っている。換言すれば、リフレクタ４０は、中空の直方体における一の側面が開放され、この開放された側面をベース板４４に向けた姿勢で、カバー板４２に取り付けられた形状となっている。
【００５１】
またリフレクタ４０は、可視光発光素子保護部４０ｓｉｒと紫外光発光素子保護部４０ｓｕｖとが、上下方向に沿って形成された仕切部４０ｐにより仕切られていると共に、可視光発光素子保護部４０ｓｉｒ及び紫外光発光素子保護部４０ｓｕｖと外部とが、リフレクタ４０の外縁に形成された取付部４０ｍにより仕切られている。リフレクタ４０は、取付部４０ｍ及び仕切部４０ｐがカバー板４２に取り付けられている。
【００５２】
また可視光発光素子保護部４０ｓｉｒ及び紫外光発光素子保護部４０ｓｕｖの内側面を含む、リフレクタ４０における右側面全体には、アルミニウムの薄膜が表面に設けられており、光の反射率が高められている。以下では、可視光発光素子保護部４０ｓｉｒ及び紫外光発光素子保護部４０ｓｕｖの内側面をそれぞれ反射面４０ｒｉｒ及び反射面４０ｒｕｖと呼ぶ。また以下では反射面４０ｒｉｒ及び反射面４０ｒｕｖをまとめて反射面４０ｒとも呼ぶ。
【００５３】
このように発光素子モジュール４５では、リフレクタ４０の反射面４０ｒｉｒと対向するベース板４４の可視光発光素子取付領域４４Ａｉｒに可視光発光素子群５４を取り付けたため、可視光発光素子群５４から左方向へ向けて出射される可視光を、反射面４０ｒｉｒにより高い割合で反射させ、可視光発光素子側孔部４２Ｈｉｒ、可視光発光素子側孔部４３Ｈｉｒ、ベース板４４及び孔部４１Ｈを介し、導光体４６が位置する右方向へ向かわせることができる。また発光素子モジュール４５では、リフレクタ４０の反射面４０ｒｕｖと対向するベース板４４の紫外光発光素子取付領域４４Ａｕｖに紫外光発光素子５６を取り付けたため、紫外光発光素子５６から左方向へ向けて出射される紫外光を、反射面４０ｒｕｖにより高い割合で反射させ、紫外光発光素子側孔部４２Ｈｕｖ、紫外光発光素子側孔部４３Ｈｕｖ、ベース板４４及び孔部４１Ｈを介し、導光体４６が位置する右方向へ向かわせることができる。
【００５４】
また発光素子モジュール４５は、ベース板４４の一面側からリフレクタ４０の可視光発光素子保護部４０ｓｉｒで可視光発光素子群５４及びボンディングワイヤ５８を覆うようにしたため、可視光発光素子群５４及びボンディングワイヤ５８を外部から保護できる。さらに発光素子モジュール４５は、ベース板４４の一面側からリフレクタ４０の紫外光発光素子保護部４０ｓｕｖで紫外光発光素子５６及びボンディングワイヤ５８を覆うようにしたため、紫外光発光素子５６及びボンディングワイヤ５８を外部から保護できる。
【００５５】
さらに各発光素子取付領域４４Ａには、可視光発光素子群５４と紫外光発光素子５６との間に、カバー板４２の仕切部４２Ｈｐ、ＦＰＣ４３の仕切部４３Ｈｐ及びリフレクタ４０の仕切部４０ｐからなる、障壁体６５が設けられている。障壁体６５は、可視光発光素子群５４及び紫外光発光素子５６を結ぶ方向である前後方向に比較的短く、これと直交する上下方向に沿って比較的長く形成されている。換言すれば、障壁体６５は、ベース板４４の表面上において上下方向に沿って細長い直線状に形成されており、可視光発光素子取付領域４４Ａｉｒと紫外光発光素子取付領域４４Ａｕｖとを分離して、紫外光発光素子５６からの紫外光が可視光発光素子群５４に照射されることを遮断している。
【００５６】
このように発光素子モジュール４５は、可視光発光素子群５４と紫外光発光素子５６とを、リフレクタ４０のそれぞれ可視光発光素子保護部４０ｓｉｒの内部と紫外光発光素子保護部４０ｓｕｖの内部とに配置すると共に、可視光発光素子群５４と紫外光発光素子５６との間に障壁体６５を設けるようにした。これにより発光素子モジュール４５は、可視光発光素子群５４と紫外光発光素子５６とを光学的に遮断できる。
【００５７】
ホルダ４１は、熱カシメ６２によりベース板４４の他面上である右側面上において、ベース板４４、ＦＰＣ４３及びカバー板４２に固定されている。このホルダ４１は、導光体４６、ベース板４４及び受光部３３を固定しており、左右のベース板４４の他面が対向するように、該導光体４６の左右両端部に２つの発光素子モジュール４５を保持している。ホルダ４１には、２箇所の発光素子取付領域４４Ａの裏面とそれぞれ対応する２箇所に、ほぼ円形の孔部４１Ｈがそれぞれ穿設されている。
【００５８】
［１−５．発光素子モジュールの製造工程］
ところで発光素子モジュール４５は、その製造過程において、ベース板４４に対してＦＰＣ４３及びカバー板４２がそれぞれ冶具等を用いて貼り付けられた後、カバー板４２の可視光発光素子側孔部４２Ｈｉｒ及びＦＰＣ４３の可視光発光素子側孔部４３Ｈｉｒを介し、紫外光カットフィルタ６０がベース板４４の可視光発光素子取付領域４４Ａｉｒに貼り付けられる。
【００５９】
次に発光素子モジュール４５は、ダイスボンダ等により、ベース板４４の可視光発光素子取付領域４４Ａｉｒにおける紫外光カットフィルタ６０に可視光発光素子群５４の各発光素子が、紫外光発光素子取付領域４４Ａｕｖに紫外光発光素子５６が、それぞれ実装される。また発光素子モジュール４５は、ＦＰＣ４３に適宜設けられた電極パッドと、各発光素子の表面に形成された電極パッドとの間がボンディングワイヤ５８によりそれぞれ接続される。
【００６０】
次に発光素子モジュール４５は、ダイスボンダ等により、可視光発光素子保護部４０ｓｉｒ及び紫外光発光素子保護部４０ｓｕｖがベース板４４の可視光発光素子群５４及び紫外光発光素子５６を隙間なく覆うように、カバー板４２にリフレクタ４０が実装される。
【００６１】
かくして発光素子モジュール４５は、互いに分離された可視光発光素子保護部４０ｓｉｒ及び紫外光発光素子保護部４０ｓｕｖにより、可視光発光素子群５４及び紫外光発光素子５６をそれぞれ封止した状態となる。最後に発光素子モジュール４５は、ベース板４４の他面側からホルダ４１が熱カシメ６２によりベース板４４、ＦＰＣ４３及びカバー板４２に固定される。
【００６２】
［１−６．動作及び効果］
以上の構成において、第１の実施の形態による発光素子モジュール４５（図５、図６及び図７）では、可視光発光素子群５４と紫外光発光素子５６とを、リフレクタ４０のそれぞれ可視光発光素子保護部４０ｓｉｒの内部と紫外光発光素子保護部４０ｓｕｖの内部とに配置すると共に、可視光発光素子群５４と紫外光発光素子５６との間に障壁体６５を設けるようにした。これにより発光素子モジュール４５は、可視光発光素子群５４と紫外光発光素子５６とを光学的に遮断できる。
【００６３】
ここで、紫外光発光素子５６は、出射する紫外光のうち、大部分を光軸ＸＵＶに沿った方向へ進行させるものの、一部を他の方向へ拡散させるように進行させる。このため発光素子モジュール４５では、紫外光発光素子５６から出射された紫外光の一部が、ベース板４４の表面とほぼ平行に進行して可視光発光素子群５４へ向かう（以下これを１次紫外光ＵＶ１と呼ぶ）。また発光素子モジュール４５では、紫外光発光素子５６から出射された紫外光の一部が、ベース板４４と空気との境界面において反射され、可視光発光素子群５４へ向かう（以下これを２次紫外光ＵＶ２と呼ぶ）。また導光体４６（図３）の例えば左側に配された一方の発光素子モジュール４５では、導光体４６を介し左右方向に対向する、導光体４６の右側に配された他方の発光素子モジュール４５の紫外光発光素子５６から出射された紫外光の一部が、一方の発光素子モジュール４５の可視光発光素子群５４へ向かう（以下これを外部紫外光ＵＶ３と呼ぶ）。
【００６４】
このような１次紫外光ＵＶ１、２次紫外光ＵＶ２及び外部紫外光ＵＶ３が可視光発光素子群５４の各発光素子（すなわちＬＥＤ）に入射されると、発光素子モジュール４５では、可視光発光素子群５４の各発光素子がこれらの紫外光により励起され、励起光を発光してしまう。
【００６５】
ここで、自動取引装置１の紙幣取扱部５（図１）では、上述したように、鑑別部１３の光学センサ部２６（図２）により、可視光により紙幣を撮像した通常画像と、紫外光により紙幣を撮像した蛍光画像とをそれぞれ生成した上で、該紙幣の鑑別処理を行う。このため光学センサ部２６は、蛍光画像の生成時に可視光発光素子群５４の各発光素子が紫外光により励起されると、各発光素子において励起光（すなわち可視光）を発光し、導光体４６から紙幣に照射してしまう。このときこの光学センサ部２６では、紙幣の蛍光インクが印刷された部分から蛍光の反射光を受光することに加えて、通常インクが印刷された部分から可視光の反射光を受光するため、生成する蛍光画像においてコントラストの低下を招いてしまう。この結果、この光学センサ部２６が組み込まれた鑑別部１３では、紙幣の鑑別精度が低下する恐れがある。
【００６６】
これに対し、本実施の形態による発光素子モジュール４５（図７）では、可視光発光素子保護部４０ｓｉｒ及び紫外光発光素子保護部４０ｓｕｖによりそれぞれ可視光発光素子群５４及び紫外光発光素子５６を覆うと共に障壁体６５を設けるようにした。このため発光素子モジュール４５は、紫外光発光素子５６から出射された紫外光の一部が１次紫外光ＵＶ１として可視光発光素子群５４へ向かったとしても、これを障壁体６５により吸収又は遮断できる。具体的に１次紫外光ＵＶ１は、リフレクタ４０の反射面４０ｒｕｖにより反射されて遮断されると共に、ＦＰＣ４３のポリイミド層及びカバー板４２のポリイミド層により吸収される。
【００６７】
また発光素子モジュール４５では、可視光発光素子群５４よりもベース板４４側である右側に紫外光カットフィルタ６０を設けるようにした。このため発光素子モジュール４５は、紫外光発光素子５６から出射された紫外光の一部が２次紫外光ＵＶ２として、また左右方向に対向する発光素子モジュール４５から出射された紫外光の一部が外部紫外光ＵＶ３として可視光発光素子群５４へ向かったとしても、これを紫外光カットフィルタ６０により吸収又は遮断できる。
【００６８】
これにより発光素子モジュール４５では、紫外光発光素子５６から可視光発光素子群５４に到達する紫外光をリフレクタ４０、障壁体６５及び紫外光カットフィルタ６０により大幅に削減でき、発生する励起光の光量も格段に減少させることができる。この結果、発光素子モジュール４５が組み込まれた光学センサ部２６では、蛍光画像の撮像時に可視光発光素子群５４から発生する励起光（可視光）を、実用上問題の無い程度にまで削減でき、蛍光画像におけるコントラストの低下を抑制できる。すなわち、この光学センサ部２６が組み込まれた鑑別部１３では、高い精度で紙幣を鑑別することができる。これに伴い、この鑑別部１３が組み込まれた紙幣取扱部５を有する自動取引装置１（図１）では、使用者との間で入金取引等の取引処理を円滑に進めることができる。
【００６９】
また他の観点から見ると、発光素子モジュール４５では、一様な平面状に形成されたベース板４４の発光素子取付領域４４Ａ（図６及び図７）に対して、可視光発光素子群５４及び紫外光発光素子５６を実装し、さらに障壁体６５を設けるようにした。ここで、特許文献１の構成の線状光源では、一般に平板状である基板に段差を形成することにより、工数の増加やコストの上昇を招き、また段差部分における配線の敷設が困難となり、さらには基板の歪みを抑制する必要が生じるといった問題があった。これに対し発光素子モジュール４５では、特許文献１のように基板に段差を形成する場合と比較して、基板（すなわちベース板４４）を単純な工程で製造でき、配線も容易に敷設でき、基板の歪み等を引き起こす恐れも無いため、容易に且つ低コストで製造できる。
【００７０】
また仮に特許文献１のような構成に紫外光カットフィルタ６０を貼り付けた上で該紫外光カットフィルタ６０上に樹脂を塗布する場合、耐久性の確保やボンディングワイヤとの共存が難しかった。これに対し発光素子モジュール４５では、一様な平面状に形成されたベース板４４の可視光発光素子取付領域４４Ａｉｒに対して、紫外光カットフィルタ６０を貼り付けるようにした。このため発光素子モジュール４５では、平面上に貼り付けを行うのみであるため紫外光カットフィルタ６０の貼り付けが容易であり、安定的に製造できる。また発光素子モジュール４５では、可視光発光素子群５４の裏側に特定の波長域のカットフィルタを段差やボンディングワイヤに邪魔されることなく貼り付けることが可能となり、設計的な制約を少なくすることができる。
【００７１】
また発光素子モジュール４５は、リフレクタ４０により可視光発光素子群５４、紫外光発光素子５６及びボンディングワイヤ５８を覆うようにした。このため発光素子モジュール４５は、リフレクタ４０のみで、可視光発光素子群５４からの可視光と紫外光発光素子５６からの紫外光とを反射面４０ｒｉｒ及び反射面４０ｒｕｖで反射し導光体４６へ向かわせることができると共に、可視光発光素子群５４、紫外光発光素子５６及びボンディングワイヤ５８を外部から封止できる。これにより発光素子モジュール４５は、可視光発光素子群５４、紫外光発光素子５６及びボンディングワイヤ５８を樹脂等で封止しなくても、該可視光発光素子群５４、紫外光発光素子５６及びボンディングワイヤ５８を保護でき、封止のための樹脂を省略できる。この結果、発光素子モジュール４５は、例えば熱硬化性の樹脂を真空ベーク炉等を用いて脱泡及び硬化させる等の工程をなくすことができ、樹脂の塗布並びに脱泡及び硬化を行うための装置を必要としなくできる。
【００７２】
また、仮に可視光発光素子群５４及び紫外光発光素子５６とボンディングワイヤ５８とを含むような複雑な形状を光の透過率が高い樹脂で封止する際には樹脂形状を安定させることが難しく、また樹脂と空気との境界面が曲面となり、可視光発光素子群５４から出射される可視光及び紫外光発光素子５６から出射される紫外光に対して、樹脂がレンズとしても機能してしまうこともあり、配光特性の個体差が発生してしまう可能性がある。
【００７３】
これに対し発光素子モジュール４５では、樹脂よりも平坦度が高い左側面及び右側面が平坦に形成されたベース板４４を介し可視光及び紫外光を照射すると共に、可視光発光素子群５４、紫外光発光素子５６及びボンディングワイヤ５８を樹脂で封止する必要がないため、配光特性の個体差を抑えて良好な光を得ることができる。
【００７４】
以上の構成によれば、第１の実施の形態による自動取引装置１の紙幣取扱部５に組み込まれる鑑別部１３の各光学センサユニット２７の発光部３２は、平板状の発光素子取付領域４４Ａを有し光を透過するベース板４４と、ベース板４４の発光素子取付領域４４Ａの一方側である左方に設けられ光を発光する発光素子５７と、ベース板４４に対し一方側に設けられ、発光素子５７を覆って保護すると共に光を反射する反射面４０ｒを有するリフレクタ４０と、ベース板４４に対し一方側とは逆の他方側である右方に設けられ、ベース板４４を透過した光を導光して線状に出射させる導光体４６とを設けるようにした。このため発光素子モジュール４５が組み込まれた光学センサユニット２７の発光部３２は、発光素子５７に樹脂封止を行うことなく発光素子５７を保護すると共に、発光素子５７が発光した光をリフレクタ４０により反射して導光体４６へ向かわせることができ、配光特性の個体差を抑えて光学特性を向上させ、良好な光を得ることができる。
【００７５】
［２．第２の実施の形態］
［２−１．自動取引装置及び紙幣取扱部の構成］
第２の実施の形態による自動取引装置１０１（図１）は、第１の実施の形態による自動取引装置１と比較して、紙幣取扱部５に代わる紙幣取扱部１０５を有する点において相違するものの、他の点については同様に構成されている。紙幣取扱部１０５は、第１の実施の形態による紙幣取扱部５（図１）と比較して、鑑別部１３に代わる鑑別部１１３を有する点において相違するものの、他の点については同様に構成されている。
【００７６】
［２−２．鑑別部の構成］
鑑別部１１３（図２）は、第１の実施の形態による鑑別部１３と比較して、光学センサ部２６に代わる光学センサ部１２６を有する点において相違するものの、他の点については同様に構成されている。光学センサ部１２６は、光学センサ部２６と比較して、光学センサユニット２７（上光学センサユニット２７Ｕ及び下光学センサユニット２７Ｌ）に代わる光学センサユニット１２７（上光学センサユニット１２７Ｕ及び下光学センサユニット１２７Ｌ）を有する点において相違するものの、他の点については同様に構成されている。
【００７７】
［２−３．光学センサユニット及び発光素子モジュールの構成］
光学センサユニット１２７（図３及び図４）は、第１の実施の形態による光学センサユニット２７と比較して、発光素子モジュール４５に代わる発光素子モジュール１４５を有する点において相違するものの、他の点については同様に構成されている。発光素子モジュール１４５は、それぞれ図６と対応する図８と、図７と対応する図９とに示すように、第１の実施の形態による発光素子モジュール４５と比較して、可視光カットフィルタ６８が追加されている点において相違するものの、他の点については同様に構成されている。
【００７８】
ベース板４４における紫外光発光素子取付領域４４Ａｕｖには、薄板状の可視光カットフィルタ６８が貼り付けられている。可視光遮断部としての可視光カットフィルタ６８は、青色の光を吸収又は遮断する材料により形成されている。可視光カットフィルタ６８の左側面には、紫外光発光素子５６が、光軸を左方向に向けた状態で取り付けられると共に、ボンディングワイヤ５８によりＦＰＣ４３の電極パッドと電気的に接続されている。
【００７９】
ここで、紫外光発光素子５６は、３７５［ｎｍ］をピークとした波長をもつが、帯域は他のＬＥＤに比べ広域であることが多い。これに対し発光素子モジュール１４５は、紫外光発光素子５６が発光する光に含まれる青色波長の光を可視光カットフィルタ６８により吸収又は遮断できる。このため発光素子モジュール１４５は、可視光発光素子群５４の各発光素子が紫外光発光素子５６からの紫外光により励起して可視光が発生して紙幣に照射されてしまうことを発光素子モジュール４５（図７）のように抑えることに加えて、紫外光発光素子５６自体が発光する光に含まれる可視光である青色波長の光が紙幣に照射されてしまうことを可視光カットフィルタ６８により抑えることができる。
【００８０】
これにより発光素子モジュール１４５が組み込まれた光学センサ部１２６では、光学センサ部２６と比較して蛍光画像におけるコントラストの低下をより一層抑制できる。この結果この光学センサ部１２６が組み込まれた鑑別部１１３では、鑑別部１３と比較して紙幣の鑑別精度をより一層向上させることができる。これに伴い、この鑑別部１１３が組み込まれた紙幣取扱部１０５を有する自動取引装置１０１（図１）では、自動取引装置１と比較して使用者との間で入金取引等の取引処理をより一層円滑に進めることができる。
【００８１】
その他の点においても、第２の実施の形態による発光素子モジュール１４５は、第１の実施の形態による発光素子モジュール４５と同様の作用効果を奏し得る。
【００８２】
以上の構成によれば、第２の実施の形態による発光素子モジュール１４５は、紫外光発光素子５６が発光する紫外光に含まれる青色波長の光を可視光カットフィルタ６８で遮断又は吸収するようにした。これにより発光素子モジュール１４５が組み込まれた光学センサユニット１２７は、光学センサユニット２７と比較して蛍光画像の生成時に可視光が紙幣に照射されてしまうことをより一層抑制して、蛍光画像におけるコントラストの低下をより一層抑制でき、蛍光画像の品質を高めることができる。
【００８３】
［３．他の実施の形態］
なお上述した第１の実施の形態においては、ベース板４４における可視光発光素子取付領域４４Ａｉｒに薄板状の紫外光カットフィルタ６０を貼り付ける場合について述べた。本発明はこれに限らず、ベース板４４における可視光発光素子取付領域４４Ａｉｒに紫外光を吸収又は遮断する材料を塗布しても良い。第２の実施の形態についても同様である。
【００８４】
また上述した第２の実施の形態においては、ベース板４４における紫外光発光素子取付領域４４Ａｕｖに薄板状の可視光カットフィルタ６８を貼り付ける場合について述べた。本発明はこれに限らず、ベース板４４における紫外光発光素子取付領域４４Ａｕｖに青色光を吸収又は遮断する材料を塗布しても良い。
【００８５】
さらに上述した第２の実施の形態においては、可視光カットフィルタ６８は青色光を吸収又は遮断する場合について述べた。本発明はこれに限らず、可視光カットフィルタ６８は、青色波長以外にも、紫外光発光素子５６が発光する紫外光に含まれる、緑色、黄色や赤色等、紫外光以外の他の種々の波長の可視光を吸収又は遮断しても良い。
【００８６】
さらに上述した第１の実施の形態においては、リフレクタ４０のみで可視光発光素子群５４、紫外光発光素子５６及びボンディングワイヤ５８を外部から覆う場合について述べた。本発明はこれに限らず、可視光発光素子群５４及びボンディングワイヤ５８と紫外光発光素子５６及びボンディングワイヤ５８とをそれぞれ樹脂で封止した上でリフレクタ４０で覆うことにより防塵性能をより高めても良く、または、リフレクタ４０で覆った上で該リフレクタ４０の周囲を例えば遮光性の樹脂で封止することによりリフレクタ４０から外部に光が漏れることを防止すると共に防塵性能をより高めても良い。第２の実施の形態についても同様である。
【００８７】
さらに上述した第１の実施の形態においては、カバー板４２の仕切部４２Ｈｐ、ＦＰＣ４３の仕切部４３Ｈｐ及びリフレクタ４０の仕切部４０ｐにより障壁体６５を形成する場合について述べた。本発明はこれに限らず、カバー板４２の仕切部４２Ｈｐ及びＦＰＣ４３の仕切部４３Ｈｐを設けず省略して、リフレクタ４０の仕切部４０ｐを右方向へ長くしてベース板４４に接続し、リフレクタ４０の仕切部４０ｐのみで障壁体を構成しても良い。第２の実施の形態についても同様である。
【００８８】
さらに上述した第１の実施の形態においては、ＦＰＣ４３のポリイミド層及びカバー板４２のポリイミド層により１次紫外光ＵＶ１を吸収する場合について述べた。本発明はこれに限らず、紫外光を吸収又は遮断する他の種々の材料からなる紫外光遮断部をＦＰＣ４３及びカバー板４２に形成しても良い。第２の実施の形態についても同様である。
【００８９】
さらに上述した第１の実施の形態においては、ベース板４４にブラックマトリクス加工層４４ｂｌを形成する場合について述べた。本発明はこれに限らず、紫外光が照射されても蛍光を発生させない種類の接着剤によりＦＰＣ４３をベース板４４に接着させる場合、ベース板４４にブラックマトリクス加工層４４ｂｌを形成しなくても良い。第２の実施の形態についても同様である。
【００９０】
さらに上述した第１の実施の形態においては、ＦＰＣ４３に可視光発光素子側孔部４３Ｈｉｒ及び紫外光発光素子側孔部４３Ｈｕｖを穿設し、該可視光発光素子側孔部４３Ｈｉｒ及び紫外光発光素子側孔部４３Ｈｕｖを介して可視光及び紫外光を導光体４６へ照射する場合について述べた。本発明はこれに限らず、ＦＰＣ４３を透明に形成して可視光発光素子取付領域４４Ａｉｒを埋め、ベース板４４ではなく該ＦＰＣ４３の左側面に紫外光カットフィルタ６０と可視光発光素子群５４とを実装すると共に、ＦＰＣ４３を透明に形成して紫外光発光素子取付領域４４Ａｕｖを埋め、ベース板４４ではなく該ＦＰＣ４３の左側面に紫外光発光素子５６を実装しても良い。その場合、ＦＰＣ４３に可視光発光素子側孔部４３Ｈｉｒ及び紫外光発光素子側孔部４３Ｈｕｖが穿設されていなくても、透明なＦＰＣ４３を介して可視光及び紫外光を導光体４６へ照射できる。第２の実施の形態についても同様である。
【００９１】
さらに上述した第１の実施の形態においては、ガラスによりベース板４４を構成する場合について述べた。本発明はこれに限らず、可視光及び紫外光の透過率が高い種々の材料によりベース板４４を構成しても良い。第２の実施の形態についても同様である。
【００９２】
さらに上述した第１の実施の形態においては、リフレクタ４０をシリコン樹脂により構成し、且つ可視光発光素子保護部４０ｓｉｒ及び紫外光発光素子保護部４０ｓｕｖにおける内側面の表面にアルミニウムの薄膜を設けて反射面４０ｒｉｒ及び反射面４０ｒｕｖを形成する場合について述べた。本発明はこれに限らず、リフレクタ４０を他の種々の材料により構成しても良く、また可視光発光素子保護部４０ｓｉｒ及び紫外光発光素子保護部４０ｓｕｖにおける内側面の表面に、例えば金属等の他の種々の材料による薄膜を設けて反射面４０ｒｉｒ及び反射面４０ｒｕｖを形成しても良い。或いは、リフレクタ４０の構成材料自体による光の反射率が十分に高い場合等に、薄膜を省略し、その表面を反射面４０ｒｉｒ及び反射面４０ｒｕｖとしても良い。第２の実施の形態についても同様である。
【００９３】
さらに上述した第１の実施の形態においては、青色発光素子５１、緑色発光素子５２及び赤色発光素子５３により可視光発光素子群５４を構成し、発光する光の波長をそれぞれ約４５０〜４７０［ｎｍ］、約５２０〜５５０［ｎｍ］、及び約６２５〜６６０［ｎｍ］とする場合について述べた。本発明はこれに限らず、可視光発光素子群５４を構成する発光素子から他の波長の光（可視光）を発光させるようにしても良い。また可視光以外にも、赤外光（例えば波長が８４０〜９７０［ｎｍ］）を発光させても良い。さらに、可視光発光素子群５４を構成する発光素子の数は２個以下や４個以上であっても良い。第２の実施の形態についても同様である。
【００９４】
さらに上述した第１の実施の形態においては、紫外光発光素子５６から発光する光の波長を約３７０〜３８０［ｎｍ］とする場合について述べた。本発明はこれに限らず、例えば約２００〜４００［ｎｍ］の範囲における任意の波長の光を紫外光発光素子５６から発光しても良い。また１箇所の発光素子取付領域４４Ａに設ける紫外光発光素子５６の数については、１個に限らず、２個以上とすることにより所望の光量を得るようにしても良い。さらには、複数の紫外光発光素子５６から互いに異なる波長の紫外光を発光させても良い。第２の実施の形態についても同様である。
【００９５】
さらに上述した第１の実施の形態においては、本発明を鑑別部１３に組み込まれる光学センサユニット２７の発光部３２（図３）に適用する場合について述べた。本発明はこれに限らず、他の種々の機器に組み込まれる発光部に適用しても良い。第２の実施の形態についても同様である。
【００９６】
さらに上述した第１の実施の形態においては、使用者との間で入金取引等の各種取引を行う自動取引装置１の鑑別部１３に本発明を適用する場合について述べた。本発明はこれに限らず、例えば自動販売機や自動精算機等、紙幣を取り扱う種々の装置に適用しても良い。第２の実施の形態についても同様である。
【００９７】
さらに上述した第１の実施の形態においては、媒体としての紙幣を取り扱う自動取引装置１の鑑別部１３に本発明を適用し、紙幣を撮像して通常の画像及び蛍光画像を生成する場合について述べた。本発明はこれに限らず、例えば種々の証券や商品券、或いは入場券等、他の種々の媒体を取り扱う種々の装置において、この媒体を撮像して通常の画像及び蛍光画像を生成する種々の装置に適用しても良い。第２の実施の形態についても同様である。
【００９８】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【００９９】
さらに上述した第１の実施の形態においては、基板としてのベース板４４と、発光素子としての発光素子５７と、反射体としてのリフレクタ４０と、導光体としての導光体４６とによって線状光源としての発光部３２を構成する場合について述べた。本発明はこれに限らず、その他種々の構成でなる基板と、発光素子と、反射体と、導光体とによって線状光源を構成しても良い。
【産業上の利用可能性】
【０１００】
本発明は、例えば使用者との間で紙幣に関する取引を行う自動取引装置に設けられる鑑別部において、光学センサユニットに組み込まれる発光部で利用できる。
【符号の説明】
【０１０１】
１、１０１……自動取引装置、５、１０５……紙幣取扱部、１３、１１３……鑑別部、２６、１２６……光学センサ部、２７、１２７……光学センサユニット、２７Ｌ、１２７Ｌ……下光学センサユニット、２７Ｕ、１２７Ｕ……上光学センサユニット、３２……発光部、３３……受光部、４０……リフレクタ、４０ｓｉｒ……可視光発光素子保護部、４０ｓｕｖ……紫外光発光素子保護部、４０ｐ……仕切部、４０ｍ……取付部、４０ｒｉｒ……反射面、４０ｒｕｖ……反射面、４０ｒ……反射面、４１……ホルダ、４１Ｈ……孔部、４２……カバー板、４２Ｈ……孔部、４２Ｈｉｒ……可視光発光素子側孔部、４２Ｈｕｖ……紫外光発光素子側孔部、４２Ｈｐ……仕切部、４３……ＦＰＣ、４３Ｈ……孔部、４３Ｈｉｒ……可視光発光素子側孔部、４３Ｈｕｖ……紫外光発光素子側孔部、４３Ｈｐ……仕切部、４４……ベース板、４４ｂｌ……ブラックマトリクス加工層、４４Ａ……発光素子取付領域、４４Ａｉｒ……可視光発光素子取付領域、４４Ａｕｖ……紫外光発光素子取付領域、４５、１４５……発光素子モジュール、４６……導光体、５１……青色発光素子、５２……緑色発光素子、５３……赤色発光素子、５４……可視光発光素子群、５６……紫外光発光素子、５７……発光素子、５８……ボンディングワイヤ、６０……紫外光カットフィルタ、６２……熱カシメ、６５……障壁体、６８……可視光カットフィルタ、ＸＵＶ……光軸、ＢＬ……紙幣、Ｐ……照射箇所、ＵＶ１……１次紫外光、ＵＶ２……２次紫外光、ＵＶ３……外部紫外光、Ｗ……搬送路。
【図１】
2019008976.tif 000003
【図２】
2019008976.tif 000004
【図３】
2019008976.tif 000005
【図４】
2019008976.tif 000006
【図５】
2019008976.tif 000007
【図６】
2019008976.tif 000008
【図７】
2019008976.tif 000009
【図８】
2019008976.tif 000010
【図９】
2019008976.tif 000011